(57)【要約】  回路（１２）は、第１回路ポイント（１３）と第２回路ポイント（１４）とを備え、第１回路ポイント（１３）および第２回路ポイント（１４）は、ＲＦ伝送手段（１１）と接続するよう構成し、このＲＦ伝送手段（１１）は、読出し／書込みステーションからのキャリア信号（ＣＳ）を非接触で受信し、回路（１２）に受信したキャリア信号（ＣＳ）を供給するよう構成する。回路（１２）は、さらに、回路検査手段（４）を有し、この回路検査手段（４）は、回路（１２）の機能検査を行い、機能検査が良好であった場合にのみ、第１および第２の回路ポイント（１３，１４）を介して変調応答信号（ＴＳ−ＭＯＤ）を出力するように構成する。回路（１２）は、さらに、第１回路ポイント（１３）および第２回路ポイント（１４）に加えた検査トリガ信号（ＴＳ）を検出するよう構成した検査トリガ信号検出手段（５）であって、検査トリガ信号（ＴＳ）を検出した場合に回路検査手段（４）をトリガして、機能検査を行うよう構成した該検査トリガ信号検出手段（５）を有する。
2009520297.tif 000002
【特許請求の範囲】
【請求項１】
第１回路ポイントおよび第２回路ポイントを備えた回路であって、該第１回路ポイントおよび第２回路ポイントは、読出し／書込みステーションからのＡＣキャリア信号を非接触で受信し、この受信したキャリア信号を前記回路に供給するよう構成したＲＦ伝送手段に接続するよう構成した該回路において、この回路は、さらに、該回路の機能検査を行い、この機能検査が良好であった場合にのみ、前記第１および第２の回路ポイントを介して応答信号を出力するよう構成した回路検査手段と、前記第１回路ポイントおよび前記第２回路ポイントに供給した検査トリガ信号の直流成分を検出するよう構成した検査トリガ信号検出手段とを備え、前記検査トリガ信号は、純粋なＤＣ信号、またはＤＣ成分を有する信号、またはキャリア信号ＣＳの周波数よりも少なくとも振幅１オーダー分、好ましくは振幅２オーダー分以上低い周波数を有するＡＣ信号とし、さらに、前記検査トリガ信号検出手段は、この検査トリガ信号検出手段が、前記検査トリガ信号を検出した場合に、回路検査手段をトリガして機能検査を行うよう構成したことを特徴とした回路。
【請求項２】
請求項１に記載の回路において、さらに、前記第１および第２の回路ポイントに現れた信号を変調するように構成した変調手段を備え、前記回路検査手段は、前記機能検査が良好であった場合に、所定の信号パターンを有する応答信号を送信することによって、前記変調手段を制御するよう構成した回路。
【請求項３】
請求項１に記載の回路において、さらに、供給電圧発生手段を備え、この供給電圧発生手段は、前記キャリア信号と前記検査トリガ信号とを受信するよう、前記第１回路ポイントおよび前記第２回路ポイントとに接触するよう構成および配置し、前記供給電圧発生手段は、供給電圧回路ポイントおよび基準電位回路ポイントを有し、前記供給電圧発生手段は、多段電荷ポンプによって実現し、各電荷ポンプ段は、入力と、出力と、前記入力に印加したＡＣ電圧を増加させて、この増加したＡＣ電圧を前記出力に運ぶよう、前記入力と前記出力との間に配置した回路とを有するものとし、各順次の電荷ポンプ段の入力を、各直前段の電荷ポンプ段の出力に接続し、前記最終電荷ポンプ段の出力が、前記供給電圧回路ポイントをなすものとし、前記検査トリガ信号検出手段は、２個の電荷ポンプ段の出力を比較するよう構成し、後段の電荷ポンプ段の出力での電圧が前段の電荷ポンプ段の出力での電圧よりも低かった場合に、前記検査トリガ信号を検出するよう構成した回路。
【請求項４】
請求項１に記載の回路において、さらに、前記第１および第２の回路ポイントに接続し、前記キャリア信号を整流するように構成した電圧整流手段を備え、前記検査トリガ信号検出手段は、前記検査トリガ電圧を検出するために、整流入力電圧、整流出力電圧または内部整流電圧の平均値、実効値またはピーク値等の、少なくとも１個の信号パラメータを評価するよう構成し、前記信号パラメータは、前記第１および第２の回路ポイントに加わった前記信号が、前記キャリア信号または前記検査トリガ電圧としたことを特徴とした回路。
【請求項５】
請求項１に記載の回路において、さらに、直流デカップリング手段を備え、この直流デカップリング手段は、前記回路ポイントのうち一方または双方と、前記供給電圧発生手段または前記整流手段との間に接続し、さらに前記直流デカップリング手段は、前記各回路ポイントと前記供給電圧発生手段または前記整流手段との間の直流フローを阻止するよう構成し、さらに前記回路は、前記直流デカップリング手段に並列接続した電流導通手段を備え、さらに前記電流導通手段は、交流電流を一方向に導通するよう構成した回路。
【請求項６】
読出し／書込みステーションからＡＣキャリア信号を非接触で受信するよう構成したＲＦ伝送手段を備えたデータ記憶媒体において、前記ＲＦ伝送手段は、回路に前記受信したキャリア信号を供給するように、前記回路に接続し、前記回路は、請求項１〜５のいずれか一項に記載の回路としたことを特徴としたデータ記憶媒体。
【発明の詳細な説明】
【技術分野】
【０００１】
本発明は、データ記憶媒体（データキャリヤ）のための回路に関する。
【０００２】
さらに、本発明は、前段落に記載の回路を備えたデータ記憶媒体（データキャリヤ）に関する。
【背景技術】
【０００３】
業界における近年の開発により、無線ＩＣタグシステム（ＲＦＩＤシステム）が、ロジスティクスと輸送用途との統合化部分になりつつあることが示されてきた。一方では、そのようなＲＦＩＤシステムは、一般的に少なくとも１個のデータ記憶媒体を備え、このデータ記憶媒体は、集積回路と、この集積回路に接続した伝送手段とを備える。他方では、そのようなＲＦＩＤシステムは、ＲＦＩＤリーダとしても知られている読出し／書込みステーションを備えており、該ＲＦＩＤリーダは、無線周波数（ＲＦ）キャリア信号を供給して、データ記憶媒体の集積回路に電力供給するとともに、ＲＦキャリア信号を用いて、集積データ記憶媒体とデータを非接触で交換する。長距離用ＲＦＩＤシステムの需要が増えてきたことで、ＧＨｚ周波数範囲まで機能する極超短波（ＵＨＦ）ＲＦＩＤシステムの動作区域（ドメイン）が、そのようなロジスティクスおよび輸送用途にとって、近年非常に重要なものとなってきている。
【０００４】
前述した回路および該回路を備えるデータ記憶媒体の製造中に、種々の機能検査を行う必要がある。これら機能検査としては、集積回路の自己検査（セルフテスト）およびデータ記憶媒体の自己検査がある。
【０００５】
特許文献１（独国特許第１００１５４８４（Ｃ２）号明細書）では、ウエハ上で実行する集積回路用の検査システムであって、回路の自己検査を、ウエハから集積回路を切り離す前に実行しなければならないことを特徴とする検査システムが開示されている。この既知の検査システムは、集積回路に電力供給するために電磁信号を集積回路に無線で送信するように調整した読取ヘッドを備える。作動させると、集積回路は自己検査を実行して、自己検査が良好であった場合にのみ検査ヘッドに応答する。検査ヘッドは、受信応答を評価する。
【０００６】
しかし、既知のテストシステムは、集積回路をウエハから切り離す前に集積回路を検査することにのみ有用である。したがって、既知のテストシステムは、集積回路をウエハから切り離し、それらを基板に固定し、さらにアンテナを接着する製造ステップを実行した後では、適用することができない。実際、集積回路をウエハから切り離し、それらを基板に固定する製造ステップは、集積回路に損傷を与える危険性が高いステップであるため、極めて不都合である。さらに、特許文献１（独国特許第１００１５４８４（Ｃ２）号明細書）には、集積回路の自己検査（セルフテスト）を始動させるいかなる手段も明らかにされていない。とくに、この特許文献１は、従来のＲＦ電磁信号とは異なる電圧を使用して、集積回路の自己検査（セルフテスト）を開始することを提案していない。さらに、ＲＦ電磁信号を送受信する検査ヘッドを使用するには、集積回路を検査するための比較的高価な検査装置を使用する必要がある。
【特許文献１】独国特許第１００１５４８４号明細書
【発明の開示】
【発明が解決しようとする課題】
【０００７】
本発明の目的は、前述した欠点を解決するため、第１段落に記載したタイプの回路と、第２段落に記載したタイプのデータ記憶媒体とを得るにある。
【課題を解決するための手段】
【０００８】
上記目的を達成するために、本発明の特徴は、本発明による回路を設け、本発明による回路は、以下の特徴を有する。
【０００９】
第１回路ポイントおよび第２回路ポイントを備えた回路であって、第１回路ポイントおよび第２回路ポイントは、読出し／書込みステーションからのＡＣキャリア信号を非接触で受信し、この受信したキャリア信号を前記回路に入力するよう構成したＲＦ伝送手段に接続するよう構成した該回路において、この回路は、さらに、回路の機能検査を行い、この機能検査が良好であった場合にのみ、第１および第２の回路ポイントを介して応答信号を出力するよう構成した回路検査手段と、第１回路ポイントおよび第２回路ポイントに供給した検査トリガ信号の直流成分を検出するよう構成した検査トリガ信号検出手段とを備え、前記検査トリガ信号は、純粋なＤＣ信号、またはＤＣ成分を含む信号、またはキャリア信号ＣＳの周波数よりも少なくとも振幅１オーダー分、好ましくは少なくとも振幅２オーダー分またはそれ以上低い周波数を有するＡＣ信号とし、さらに検査トリガ信号検出手段は、検査トリガ信号を検出した場合に、回路検査手段をトリガして、機能検査を行うように構成したことを特徴とする。
【００１０】
上記目的を達成するために、本発明によるデータ記憶媒体は、本発明による回路を備える。
【発明の効果】
【００１１】
本発明による特徴を設けることで、回路およびデータ記憶媒体それぞれの適切な自己検査（セルフテスト）動作を行うために無線周波数信号発生装置を必要としないという利点が得られる。無線周波数信号に基づいた検査装置と比較して、本発明は、検査目的用のかなり安価で扱い易い検査装置の使用を可能にすると共に、チップ検査動作を実行し、また伝送手段に接続するために、新たなパッドまたはコネクタを必要としない。さらに、集積回路の無線周波数（ＲＦ）動作モードは、本発明の構成によって影響を受けることはなく、これは、すなわち本発明による方法は、無線周波数（交流）信号に対するのと同様に、通常伝送手段に接続するのに使用する集積回路の２個の接続パッドを介して回路に供給する直流信号に対しても適切な動作を生ずるからである。検査目的で直流信号を使用することによって、環境騒音に対する高い免疫性をももたらす。
【００１２】
本発明のいくつかの解決策は、回路に供給される入力信号を検査トリガ信号として検出した場合、および内部機能検査の結果が良好であった場合に、該入力信号を変調させるという利点がある。このように、データ記憶媒体（データキャリヤ）および回路の各々を完全に機能するか否かを、極めて簡単に決定することができる。
【００１３】
本発明によるいくつかの解決策は、給電を必要とする回路コンポーネントに電力を供給するための供給電圧は、ＲＦ信号だけでなく、直流信号にも基づいて生成することができるという利点が得られる。
【００１４】
本発明による別の解決策は、供給電圧発生手段のオリジナル設計であって、ＲＦ信号の手段だけで回路を動作させるという構想に基づいたデザインを、第２供給電圧を提供するために、大幅に変更する必要はないという利点が得られる。特定の解決策では、ＤＣデカップリング手段を、ダイオード等でバイパスする必要がある。
【００１５】
本発明による別の解決策は、ＲＦ信号のみを使用して回路を動作させるという概念に基づいた整流手段のオリジナル設計は、整流手段の入力、出力または内部に現れる種々の電圧を使用して検査トリガ信号を検出するという相乗効果を維持することができるという利点が得られ、このことは、すなわち、これら電圧は、整流手段の入力に供給する信号がＡＣキャリア信号であるか、ＤＣ成分を有する検査トリガ信号であるか、ＡＣキャリア信号の周波数よりも大幅に低い周波数を有するＡＣ検査トリガ信号であるかに基づいて変化するからである。
【００１６】
上記様態および本発明の他の様態を、以下に説明する例示的実施形態から明らかであり、この例示的実施形態につき説明する。
【実施例】
【００１７】
以下に、本発明を、例示的実施形態につき、より詳細に説明する。しかし、本発明は、これらの例示的実施形態に限定するものではない。
【００１８】
図１は、本発明によるデータ記憶媒体（データキャリヤ）１０の一般的な実施例を線図的に示したブロック回路図であり、データ記憶媒体１０は、本発明による集積回路１２を備え、集積回路１２は、基板１６上に配置する。データ記憶媒体１０は、受動トランスポンダとして構成し、アンテナの形で基板１６上に配置したＲＦ伝送手段１１を有し、該アンテナは、図示していない読出し／書込みステーションからの電磁ＲＦキャリア信号ＣＳを非接触で受信するよう構成する。このキャリア信号ＣＳは、例えば、数ｋＨｚ〜ＧＨｚの範囲にわたる周波数を有する。
【００１９】
ＲＦ伝送手段１１は、第１回路ポイント１３および第２回路ポイント１４を用いて回路１２に接続し、第１回路ポイント１３および第２回路ポイント１４は、回路１２に配線した接続パッドとして構成することができる。接続パッドは、いわゆる「ゴールドバンプ（gold-bumps）」、すなわち金の薄層で被覆した、隆起した接点パッドとして構成することができる。実際、複数個の回路１２を、共通のウエハ上に製作する。ウエハ上における回路１２の製造ステップが完了した後、いくつかの機能検査を各回路１２に対して行う。この後、回路１２をウエハから切り離す。ウエハからの回路切り離しは、データ記憶媒体の製造において危険なステップであり、したがって、切り離しステップを行った後には、上述の機能検査に頼ることはもはやできない。
【００２０】
回路１２を切り離した後、最終製造業者に流通させることができる中間製品にするために、予めＲＦパッドに接続した小さな金属ストライプを有する支持体に、回路１２を付着することができる。
【００２１】
続いて、プラスチック製のフォイルまたはシートのような基板１６を設け、この基板１６上に、ウエハから切り離した直後に、または中間製品の形式で回路１２を貼着する。
【００２２】
他の製造プロセスにおいて、アンテナの形式とした伝送手段１１を、基板１６上に設ける。このことは、回路１２を貼着する前、または貼着した後に行うことができる。基板１６上に伝送手段１１を設けることは、例えば、導電性材料のペーストを、基板１６上に所定のパターンで塗布することで達成することができる。最後に、伝送手段１１と回路１２とを、例えば伝送手段１１の端子が接続パッドに導電接触するように回路１２を基板１６上に押圧する、または（伝送手段を形成する前に回路１２を基板に貼着する場合）伝送手段１１の端子を回路１２の端子に接合（ボンディング）することによって、互いに接続する。最終的に、回路１２を、保護層でカバーすることができる。
【００２３】
基板１６上に対する回路１２の押圧は、データ記憶媒体１０を製造する上で最も危険なステップであり、適切に機能するかどうかを確認するために、前述した押圧ステップの後でデータ記憶媒体に対して再び種々の検査を行うことは不可避である。
【００２４】
例えば、ＲＦ伝送手段１１を、いわゆる開ループ・ダイポールアンテナとして構成した場合、ダイポールアンテナの第１内側端部を、第１回路ポイント１３の接続パッドに接続し、ダイポールアンテナの第２内側端部を、第２回路ポイント１４の接続パッドに接続する。
【００２５】
読出し／書込みステーションからＲＦ伝送手段に送信したキャリア信号ＣＳをアナログ無線周波数インタフェース１に供給するように、回路１２の第１回路ポイント１３および第２回路ポイント１４をアナログ無線周波数インタフェース１に配線する。アナログ無線周波数インタフェース１をデジタル制御ユニット２に接続し、デジタル制御ユニット２をメモリ３に接続する。この例示的実施形態において、メモリ３をＥＥＰＲＯＭのような不揮発性メモリとし、したがって、読出し／書込みステーションとの通信中にメモリ３に書き込まれたデータは、データ記憶媒体１０がスイッチオフになる場合、例えば、メモリ３が読出し／書込みステーションの送信範囲から逸脱し、したがって、もはや付勢されなくなってスイッチオフになる場合でも、記憶されたまま、になる。メモリ３は、デジタル制御ユニット２を動作させるためのプログラムコード、および固有識別番号を有することもできる。
【００２６】
キャリア信号ＣＳは、アナログ無線周波数インタフェース１において、種々の方法で処理する。一般的には、アナログ無線周波数インタフェース１は、整流手段６と、供給電圧発生手段７とを備え、これら整流手段６および供給電圧発生手段７は、集積コンポーネントとすることができる。整流手段６は、キャリア信号ＣＳを整流化し、供給電圧発生手段７は、キャリア信号ＣＳから、デジタル制御ユニット２およびメモリ３に電力を供給する動作電圧ＶＤＤを導き出す。
【００２７】
さらに、アナログ無線周波数インタフェース１は、キャリア信号ＣＳから入力信号ＤＩＮを抽出し、この入力信号ＤＩＮをデジタル制御ユニット２に引き渡すよう構成した復調器８を有する。入力信号ＤＩＮとしては、インストラクション、識別データ等がある。デジタル制御ユニット２は、受信した入力トラフィックデータである入力信号ＤＩＮを処理し、（通常動作モードでは）出力データＤＯＵＴを生成することによって、読出し／書込みステーションに応答することができる。
【００２８】
さらに、アナログ無線周波数インタフェース１は変調手段９を有し、この変調手段９は、出力データＤＯＵＴを制御信号として受信し、出力データＤＯＵＴの信号パターンによる負荷変調によってキャリア信号ＣＳを変調する。
【００２９】
本明細書に記載したデータ記憶媒体１０の構成は、普通のものであり、本発明を明確に理解できるよう記載したにすぎないことを認識されたい。しかし、当業者は、この構成は種々に変更することができることに気が付くであろう。
【００３０】
本発明によれば、（データ記憶媒体の普通の構成から逸脱して）、回路１２は、さらに回路テスト手段４を有し、この回路テスト手段４は、回路１２の機能検査を行い、機能検査が良好であった場合にのみ、第１および第２の回路ポイント１３，１４を介して応答信号ＯＫを出力するよう構成する。回路検査手段４は、デジタル制御ユニット２に組み込むこともできるが、個別のユニット、またはアナログ無線周波数インタフェース１およびデジタル制御ユニット２の双方におけるコンポーネントを有するユニットとして構成することもできる。回路１２は、さらに、検査トリガ信号検出手段５を有し、この検査トリガ信号検出手段５は、直列抵抗Ｒを介して第１回路ポイント１３および第２回路ポイント１４に接続した検査装置４０により供給される検査トリガ信号ＴＳを検出するよう構成する。検査トリガ信号ＴＳは、純粋なＤＣ信号、またはＤＣ成分を含む信号、またはキャリア信号ＣＳの周波数よりも少なくとも振幅１オーダー分、好ましくは少なくとも振幅２オーダー分もしくはそれ以上低い周波数を有するＡＣ信号とする。例えば、キャリア信号ＣＳが、８６８ＭＨｚの周波数を有するＡＣ信号である場合、検査トリガ信号ＴＳは、ＡＣ信号として構成された場合、１０ＭＨｚまたはそれ以下の周波数を有することが好ましい。この定義により、検査トリガ信号は、通常高周波数を有する純粋な交流（ＡＣ）信号であるキャリア信号ＣＳと明確に区別できる。このように、検査トリガ信号検出手段５は、ＤＣ信号であるか、ＤＣ成分を有する信号、または低周波数を有するＡＣ信号のいずれかを、第１および第２の回路ポイント１３，１４で検出するように構成する。検査トリガ信号検出手段５が検査トリガ信号ＴＲを検出した場合、検査トリガ信号検出手段５はトリガ信号ＴＲを回路検査手段４に出力し、トリガ信号ＴＲは、回路検査手段４をトリガして機能検査を開始させる。
【００３１】
つぎに、図２につき、検査トリガ信号ＴＳの例を説明する。この例示的な検査トリガ信号ＴＳは、主なＤＣ（直流）成分ＴＤＣと、低周波数を有する小さいＡＣ（交流）成分ＴＡＣとを備えた複合信号である。例えば、ＡＣ成分ＴＡＣは、波形ノイズで生じさせることができる。
【００３２】
つぎに、図３につき、データ記憶媒体１０の回路１２の線図的な構造を説明するが、図３を分かり易くするため、ここでは本発明に必要不可欠なコンポーネント（構成要素）のみを示し、図１ですでに説明した他のコンポーネントを省略した。
【００３３】
図３に線図的に示した構造において、回路１２の第１および第２の回路ポイント１３，１４を、整流手段６の入力６ｉに接続する。整流手段６の出力６ｏは、基準電位に対して供給電圧ＶＤＤを供給する。検査トリガ信号検出手段５は、ライン５ａを介して整流手段６の内部電圧Ｕｉをタップし、第１および第２の回路ポイント１３，１４に供給された信号が検査トリガ信号ＴＳとしての条件を満たしているかどうか、すなわち、該信号がＤＣ信号であるか、主なＤＣ信号成分を有する信号であるか、低周波数を有するＡＣ信号であるかを調べるために、この内部電圧Ｕｉを処理して分析するように構成する。内部電圧の処理および分析としては、この内部電圧Ｕｉと回路の他の内部電圧との比較、内部電圧Ｕｉの平均値、実効値、ピーク値等の算出、例えば、所定の閾値との比較による、算出結果の評価がある。整流手段としては、一般的にダイオードのような信号整形素子、およびキャパシタまたはインダクタのようなエネルギー蓄積素子があるため、当業者にとって、このような電気素子に現れる電圧は、整流手段の入力に供給された信号の形状、振幅、および周波数に基づいて変化することは明らかであろう。このように、内部電気素子で整流手段６の内部電圧Ｕｉをタップすることによって、入力６ｉに現れる信号が、高周波数ＡＣキャリア信号ＣＳなのか、上述した信号特性を備えた検査トリガ信号ＴＳなのかを評価することができることを認識されたい。このように、検査トリガ信号ＴＳが第１および第２の回路ポイント１３，１４に供給された場合、検査トリガ信号検出手段５が検査トリガ信号ＴＳを検出し、回路検査手段４にトリガ信号ＴＲを出力し、回路１２の機能検査の実行を開始する。全ての機能検査が良好であった場合、回路検査手段４が応答信号ＯＫを出力し、これによって、整流手段６の出力６ｏに接続した変調手段９による変調を行う。変調手段９が検査トリガ信号ＴＳを変調して第１および第２の回路ポイント１３，１４に送るので、変調した信号を変調応答信号ＴＳ−ＭＯＤと表す。再び図２につき説明すると、時刻ｔ１で、回路検査手段４は明らかに機能検査を成功裏に完了していることが判り、変調応答信号ＴＳ−ＭＯＤを、第１および第２の回路ポイント１３，１４に送信する。この変調した検査トリガ信号ＴＳ−ＭＯＤを、ワイヤ配線した（図１参照）検査装置４０によって評価する。
【００３４】
図３の構成において、整流手段６は、集積させた整流手段および供給電圧発生手段で置換することができることを認識されたい。さらに、変調手段９は、第１および第２の回路ポイント１３，１４間で切り替えることができる。
【００３５】
以下に、図４につき、図１によるデータ記憶媒体１０の回路１２のアナログ無線周波数インタフェース１を詳細に説明する。アナログ無線周波数インタフェース１は、接続パッド１３として構成した第１および第２の回路ポイント１３，１４を介して、伝送手段１１に接続する。
【００３６】
アナログ無線周波数インタフェース１は、第１回路ポイント１３および第２回路ポイント１４の各々に接続した変調手段９を備える。
【００３７】
回路１２のアナログ無線周波数インタフェース１は電圧発生手段７を有し、この電圧発生手段７は、基準電位回路ポイント１８における基準電位ＧＤＤを基準として、供給電圧回路ポイント１７において、第１および第２の回路ポイントでの入力電圧に基づいて供給電圧ＶＤＤを発生するよう構成する。アナログ無線周波数インタフェース１は、さらに、第２回路ポイント１４と基準電位回路ポイント１８との間に接続したキャパシタＣを有する。キャパシタＣは、基準電位に対する交流（ＡＣ）短絡、すなわちＤＣデカップリング手段として動作する。
【００３８】
供給電圧発生手段７は、第１電荷ポンプ段２２、第２電荷ポンプ段２３、第３電荷ポンプ段２４、および第４電荷ポンプ段２５を備えた多段電荷ポンプとして実現する。第１電荷ポンプ段２２は、第１回路ポイント１３に接続した第１入力２２ｉを有する。第１電荷ポンプ段２２は、基準電位回路ポイント１８にも接続する。さらに第１電荷ポンプは、第１出力２２ｏを備える。残りの電荷ポンプ２３，２４，２５は、それぞれ入力と、以下に説明する出力２３ｏ，２４ｏ，２５ｏを有する。電荷ポンプ段２２，２３，２４，２５は、互いに直列に接続する。この直列接続において、第１電荷ポンプ段２２の第１出力２２ｏが第２電荷ポンプ段２３の第２入力を形成し、第２電荷ポンプ段２３の第１出力２３ｏが第３電荷ポンプ段２４の第３入力を形成し、第３電荷ポンプ段２４の第３出力２４ｏが第４電荷ポンプ段２５の第４入力を形成し、この第４電荷ポンプ段２５は第４出力２５ｏを有する。第４出力２５ｏが、供給電圧回路ポイント１７をなす。
【００３９】
アナログ無線周波数インタフェース１は、さらに、キャパシタＣに並列に接続した電流導通手段３０を備える。電流導通手段３０は、基準電位回路ポイント１８から第２回路ポイント１４へ一方向に電流を導通するように構成する。この実施例では、電流導通手段３０をダイオードによって実現し、該ダイオードは、アノードを基準電位回路ポイント１８に連結し、カソードを第２回路ポイント１４に接続する。
【００４０】
上述の手段を設けることにより、アナログ無線周波数インタフェース１は、第１および第２回路ポイントを介して、直流成分を有する信号であって、図２に示した検査トリガ信号ＴＳのような信号を回路１２に接触供給して回路１２を動作させることを可能とし、データ記憶媒体１０の伝送手段１１を介して受信したＲＦキャリア信号ＣＳがある場合に、回路１２を動作させる。動作にあたり、電流導通手段３０は、キャパシタＣをバイパスすることで回路ポイント１３と回路ポイント１４との間における直流フローを可能とするが、該キャパシタＣは、いかなる直流の通過も基本的に不可能とする。しかし、ダイオートがキャパシタＣによる高周波数に対して短絡するために、回路１２の無線周波数動作が干渉されることはない。この状況において、回路１２が、ＲＦキャリア信号ＣＳを受信し、また電力供給を受けるのに利用する、データ記憶媒体１０の動作を、「ＲＦ動作」と呼ぶ。検査トリガ信号ＴＳを供給電圧発生手段７に供給した場合、この供給電圧発生手段７は供給電圧ＶＤＤを発生するが、供給電圧ＶＤＤの値は、供給電圧発生手段７の入力に供給された信号の形状に依存して異なるようにすることができることを認識されたい。この性質は、供給電圧発生手段７が、直列接続した電荷ポンプ段２２〜２５から成ることに起因する。電荷ポンプの入力でＡＣ信号を受信した場合、電荷ポンプはより大きい振幅を有する出力信号を提供する。しかし、ＤＣ信号が電荷ポンプの入力に供給された場合、電荷ポンプの内部ダイオード手段で種々の電圧が落ちるため、電荷ポンプは、その出力において減弱した振幅を有する電圧を発生する。この作用を利用して、検査トリガ信号検出手段５が検査トリガ信号ＴＳを検出する。このために、検査トリガ信号検出手段５をコンパレータとして構成し、このコンパレータの入力ラインの一方を、第１電荷ポンプ段２２の出力２２ｏに接続し、コンパレータの他方の入力ラインを、第４電荷ポンプ段２５の出力２５ｏに接続する。第１および第２の回路ポイントに現れた信号が検査トリガ信号ＴＳであった場合、第１電荷ポンプ段２２の出力２２ｏでタップされた電圧は、第４電荷ポンプ段２５の出力２５ｏでタップされた電圧よりも高くなる。検査トリガ信号検出手段５は、この差を検出して、トリガ信号ＴＲを発生する。ＡＣキャリア信号ＣＳが第１および第２の回路ポイント１３，１４に加わる場合、第４電荷ポンプ段２５の出力２５ｏでタップされた電圧は、第１電荷ポンプ段２２の出力２２ｏでタップされた電圧よりも高くなる。この場合、検査トリガ信号検出手段５は、トリガ信号ＴＲを発生しない。
【００４１】
直流信号が供給電圧発生手段７を通過する際に、比較的損失を低く抑えることを保証するために、第１電荷ポンプ段２２は、他の電荷ポンプ段２３，２４，２５とは若干異なった構成にする。電荷ポンプ段２３，２４，２５と対比すると、電荷ポンプ段２３，２４，２５に見られる入力キャパシタＣＩを第１電荷ポンプ段２２から取り外し、電荷ポンプ段２２はダイオードで実現した整流構造のみを備え、図５に示すように、キャパシタを、整流構造に並列になるよう、第１出力２２ｏに接続する。
【００４２】
本発明の上述の実施例では、直流導通手段３０を一般的なダイオードとして説明したが、「ショットキー」ダイオードと呼ばれるような特定のダイオード、またはダイオードとして動作するトランジスタも、直流導通手段を実現するために利用することができる。本発明の教示を理解する当業者にとっては、適切な性質を有するその他の電気的コンポーネントもあり得ることは理解できるであろう。
【００４３】
他の実施例では、直流デカップリング手段（Ｃ）を第１回路ポイント（１３）と供給電圧発生手段（７）との間に配置することもでき、さらに、第１回路ポイント（１３）から供給電圧発生手段（７）を介して第２回路ポイント（１４）への直流フローを可能とするために、導通手段（３０）を並列接続で直流デカップリング手段（Ｃ）に接続することができることを認識されたい。
【００４４】
他の実施例では、１個より多いアンテナを設け、また、本発明に適用することを目的として、１個の共通接地パッドを利用できることも付記する。
【図面の簡単な説明】
【００４５】
【図１】本発明による回路を備えたデータ記憶媒体（データキャリヤ）を線図的に示したブロック図である。
【図２】検査トリガ信号および変調応答信号を表す変調検査トリガ信号を示す波形図である。
【図３】本発明による回路の特定構成を線図的に示したブロック図である。
【図４】図１による回路の、アナログ無線周波数インタフェースのブロック図である。
【図１】
2009520297.tif 000003
【図２】
2009520297.tif 000004
【図３】
2009520297.tif 000005
【図４】
2009520297.tif 000006
【国際調査報告】
2009520297.tif 000007
2009520297.tif 000008